(57)【要約】【課題】送風の妨げとなることがなく、フォトインターラプタの発光部や受光部に塵埃が付着することのないファンモータの回転速度検出器の取付構造を提供する。【解決手段】モータと、同モータの回転軸の一端に取付けたファンと、同回転軸の回転に連動して設けられた検出板と、同検出板の回転速度を検出するフォトインターラプタとでなるファンモータの回転速度検出器の取付構造であって、前記検出板６’を前記回転軸の他端２’に取付けると共にその先端を軸方向に折曲し、前記モータ１に筒状の取付脚７を固定し、同取付脚に下方を開口する保護カバー８を取付け、同開口端に前記フォトインターラプタ５を前記検出板６’に対応して固定した配線基板９を取付けた。また、前記取付脚７と保護カバー８とを合成樹脂により一体に形成し、前記保護カバーの一側に前記回転軸２を軸支するベアリングのカバー１ａに当接する筒状のリブ（１０）を設けた。【選択図】  図２
2004354113.tif 000002
【特許請求の範囲】
【請求項１】
モータと、同モータの回転軸一端に取付けたファンと、同回転軸の回転に連動して設けられた検出板と、同検出板の回転速度を検出する検出手段とでなるファンモータの回転速度検出器の取付構造であって、
前記検出板を前記回転軸の他端に取付けると共に、同検出板に対応して、カバー内に配設された検出手段を設けてなることを特徴とするファンモータの回転速度検出器の取付構造。
【請求項２】
前記カバーが、前記モータを支持する取付脚と前記検出手段を保護する円筒上の保護カバーとからなることを特徴とする請求項１に記載のファンモータの回転速度検出器の取付構造。
【請求項３】
前記取付脚と前記保護カバーとが、合成樹脂により一体形成されてなることを特徴とする請求項２記載のファンモータの回転速度検出器の取付構造。
【発明の詳細な説明】
【０００１】
【発明の属する技術分野】
本発明は、石油温水ルームヒータの室外機に使用するファンモータの回転速度を検出する回転速度検出器の取付構造に係わり、特にモータの磁界の妨げにならないようにしたファンモータの回転速度検出器の取付構造に関する。
【０００２】
【従来の技術】
従来のファンモータの回転速度検出器の取付構造は、図４に示すように、モータ１の回転軸２に取付けられたファン３の外側に、同モータ１に固定したファンケーシング４を設け、同ファンケーシング４に、フォトインターラプタ５を取付け、前記ファン３の外周に、同フォトインターラプタ５の発光部５ａと受光部５ｂとの間を通過して遮る検出板６を設けるようにしていた。
しかし、この構成では、前記フォトインターラプタ５が送風路に設けられるため、送風の妨げとなるばかりか、前記フォトインターラプタ５の発光部５ａや受光部５ｂに塵埃が付着し易いという問題があった。
また、前記検出板６が前記回転軸２から離れた位置に設けられているため、前記ファン３の芯ぶれによりこの検出板６がフォトインターラプタ５に接触して壊してしまう可能性があった。
【０００３】
【発明が解決しようとする課題】
本発明は以上述べた問題点を解決し、フォトインターラプタが送風の妨げとなることがなく、また、前記フォトインターラプタの発光部や受光部に塵埃が付着して検出できなくなることのないファンモータの回転速度検出器の取付構造を提供することを目的としている。
【０００４】
【課題を解決するための手段】
本発明は上述の課題を解決するため、モータと、同モータの回転軸一端に取付けたファンと、同回転軸の回転に連動して設けられた検出板と、同検出板の回転速度を検出する検出手段とでなるファンモータの回転速度検出器の取付構造であって、
前記検出板を前記回転軸の他端に取付けると共に、同検出板に対応して、カバー内に配設された検出手段を設けてなる取付構造としている。
【０００５】
また、前記カバーが、前記モータを支持する取付脚と前記検出手段を保護する円筒上の保護カバーとからなる取付構造となっている。
【０００６】
また、前記取付脚と前記保護カバーとが、合成樹脂により一体形成されてなる取付構造となっている。
【０００７】
【発明の実施の形態】
以下、図面に基づいて本発明によるファンモータの回転速度検出器の取付構造を詳細に説明する。
図１は本発明によるファンモータを使用した石油温水ルームヒータの室外機の燃焼装置の一部を示す要部側断面図である。
図１に示すように、石油温水ルームヒータの室外機の燃焼装置５０は、気化器内に石油などの液体燃料を霧化器５０ｂで霧化して供給すると共に、ファンケーシング４の下端に設けた吸込口４ａからモータ１の一端に軸支したファン３により吸込んだ空気を供給して混合し、同空気と混合された燃料を炎口板５０ａから吹出して燃焼させるようになっている。
【０００８】
図２は本発明によるファンモータの回転速度検出器の取付構造の一実施例を示す要部側断面図である。
図２に示すように、モータ１の両端にはベアリングカバー１ａ内に収容された図示しないベアリングにより軸支された回転軸２、２’を備えている。
前記モータ１の一端の回転軸２にはファン３が取付けられている。
前記ファン３の周囲には前記モータ１に固定されたファンケーシング４が配設されている。
また、前記モータ１の他端の回転軸２’には先端部を凹凸状に形成した断面コ字状の検出板６’が取付けられており、同検出板６’の周囲には前記モータ１に固定された取付脚７と塵埃の侵入を防ぐ保護カバー８とが合成樹脂により一体に形成されて配設されている。
前記保護カバー８の先端部にはフォトインターラプタ５を備える配線基板９をネジ２０により取付ける基板取付部８ａを設けている。
そして、前記検出板６’の凹凸状の先端部が前記フォトインターラプタ５の発光部５ａと受光部５ｂとの間を通過するようになっている。
【０００９】
上述したように、従来は金属で形成されていた、取付脚７と保護カバー８とを合成樹脂により一体に形成したので、材料費が削減でき、部品点数が削減されるため、コスト的に有利となるばかりか、その材料が非磁性体であるため、モータの磁界を乱すことが無く、低温時の起動特性も改善されるという効果を有する。
【００１０】
図３は本発明によるファンモータの回転速度検出器の取付構造の他の実施例を示す要部側断面図である。
本実施例においては、前記保護カバー８の上端に前記ベアリングカバー１ａに当接する筒状のリブ１０を設けている。
これにより、ベアリングカバー１ａに収容された図示しないベアリングへの塵埃の侵入を防ぐことができ、信頼性を向上することができる。
【００１１】
【発明の効果】
以上説明したように、本発明によるファンモータの回転速度検出器の取付構造によれば、モータと、同モータの回転軸の一端に取付けたファンと、同回転軸の回転に連動して設けられた検出板と、同検出板の回転速度を検出するフォトインターラプタとでなるファンモータの回転速度検出器の取付構造であって、前記検出板を前記回転軸の他端に取付けると共にその先端を軸方向に折曲し、前記モータに筒状の取付脚を固定し、同取付脚に下方を開口する保護カバーを取付け、同開口端に前記フォトインターラプタを前記検出板に対応して固定した配線基板を取付けたので、従来のようにフォトインターラプタが送風の妨げとならないようにでき、また、前記フォトインターラプタの発光部や受光部に塵埃が付着して検出できなくなることを防止することができる。
また、前記取付脚と保護カバーとを合成樹脂により一体に形成したので、材料費が削減でき、部品点数が削減されるため、コスト的に有利となるばかりか、その材料が非磁性体であるため、モータの磁界を乱すことが無く、低温時の起動特性も保証されるという効果を有する。
また、前記保護カバーの一側に前記回転軸を軸支するベアリングを収容するベアリングカバーに当接する筒状のリブを設けたので、同リブがベアリングカバーに収容されたベアリングへの塵埃の侵入を防ぐので、信頼性を向上できる。
【図面の簡単な説明】
【図１】本発明によるファンモータを使用する石油温水ルームヒータの室外機の一例を示す要部側断面図である。
【図２】本発明によるファンモータの回転速度検出器の取付構造の一実施例を示す要部側断面図である。
【図３】本発明によるファンモータの回転速度検出器の取付構造の他の実施例を示す要部側断面図である。
【図４】従来のファンモータの回転速度検出器の取付構造の一例を示す要部側断面図である。
【符号の説明】
１  モータ
１ａ  ベアリングカバー
２、２’  回転軸
３  ファン
４  ファンケーシング
４ａ  吸込口
５  フォトインターラプタ
５ａ  発光部
５ｂ  受光部
６’  検出板
７  取付脚
８  保護カバー
８ａ  基板取付部
９  配線基板
１０  リブ
【図１】
2004354113.tif 000003
【図２】
2004354113.tif 000004
【図３】
2004354113.tif 000005
【図４】
2004354113.tif 000006